(57)【要約】【課題】洗浄性の低下を抑制することの可能な液体処理装置を提供する。【解決手段】ケーシング１内部にフィルタ２を備えた液体処理装置であって、排出手段４を備え、排出手段４は、ノズル４１，４２と、排出管４４とを備え、ノズル４１，４２は、フィルタ２に向かって開口するよう配置され、排出管４４は、ノズル４１，４２から導入された水をケーシング１外部に排出するよう配置され、ノズル４１，４２の側面と排出管４４の少なくとも一方に、第１貫通孔４１ｈ（４２ｈ）が形成される、液体処理装置が提供される。が提供される。【選択図】図２
2020114577.tif 000002
【特許請求の範囲】
【請求項１】
ケーシング内部にフィルタを備えた液体処理装置であって、
排出手段を備え、
前記排出手段は、ノズルと、排出管とを備え、
前記ノズルは、前記フィルタに向かって開口するよう配置され、
前記排出管は、前記ノズルから導入された水を前記ケーシング外部に排出するよう配置され、
前記ノズルの側面と前記排出管の少なくとも一方に、第１貫通孔が形成される、液体処理装置。
【請求項２】
請求項１に記載の液体処理装置であって、
前記第１貫通孔は、前記ノズルの側面に設けられる、液体処理装置。
【請求項３】
請求項２に記載の液体処理装置であって、
前記ノズルは、パイプ部材と、ノズル部材と、付勢手段とを備え、
前記第１貫通孔は、前記ノズル部材の側面に設けられ、
前記パイプ部材は、前記ノズル部材と前記排出管とを接続し、
前記ノズル部材の基端部と前記パイプ部材の先端部は嵌り合うよう構成され、
前記付勢手段は、前記ノズル部材を前記フィルタ方向へ押圧する、液体処理装置。
【請求項４】
請求項３に記載の水処理装置であって、
前記パイプ部材の側面に、前記フィルタの一次側と連通する第２貫通孔が形成され、
前記ノズル部材が前記フィルタから離間すると、前記第１貫通孔と前記第２貫通孔の少なくとも一部が重なるよう構成される、液体処理装置。
【請求項５】
請求項１〜請求項４の何れかに記載の液体処理装置であって、
回転手段を備え、
前記フィルタは、円筒状に形成され、
前記回転手段は、前記フィルタ及び前記排出手段の一方を他方に対し相対回転させるよう構成される、液体処理装置。
【請求項６】
請求項５に記載の水処理装置であって、
前記排出手段は、前記ノズルを複数備え、
前記回転手段は、前記フィルタを回転させるよう構成される、液体処理装置。
【発明の詳細な説明】
【技術分野】
【０００１】
本発明は、フィルタを有する水処理装置に関する。
【背景技術】
【０００２】
タンカー等の船舶は、積み荷の原油等を降ろした後、再度目的地に向けて航行する際、航行中の船舶のバランスを取るため、通常、バラスト水と呼ばれる水をバラストタンク内に貯留する。このような船舶には、バラスト水の注排水による生態系の破壊を防ぐため、バラスト水を浄化処理する水処理装置（バラスト水処理装置）が設けられている。
【０００３】
バラスト水処理装置の一種としては、円筒状のフィルタをケーシング内に配置することでバラスト水を濾過処理する方式のもの（濾過装置）が知られている。この方式においては、フィルタの閉塞を防ぐため、恒常的なフィルタの洗浄が重要とされている。
【０００４】
そこで、フィルタに堆積している異物を除去する構成として、例えば特許文献１には、フィルタの一次側に配置され、バラスト水とともに異物を吸引して排出する排出手段（吸引ノズル、排泥管等）を備えるものが記載されている。
【先行技術文献】
【特許文献】
【０００５】
【特許文献１】特開２００４−１４１７８５号公報
【発明の概要】
【発明が解決しようとする課題】
【０００６】
ところで、このような排出手段を備える濾過装置では、排出手段に流入する液体の流量が多くなると、フィルタに向かって開口するよう配置されたノズルが、フィルタから離れる方向に押圧される。そのため、ノズル先端がフィルタから浮いてしまい、洗浄性が低下してしまうおそれがあった。
【０００７】
本発明は、このような事情に鑑みてなされたものであり、洗浄性の低下を抑制することの可能な液体処理装置を提供することを目的とする。
【課題を解決するための手段】
【０００８】
本発明によれば、ケーシング内部にフィルタを備えた液体処理装置であって、排出手段を備え、前記排出手段は、ノズルと、排出管とを備え、前記ノズルは、前記フィルタに向かって開口するよう配置され、前記排出管は、前記ノズルから導入された水を前記ケーシング外部に排出するよう配置され、前記ノズルの側面と前記排出管の少なくとも一方に、第１貫通孔が形成される、液体処理装置が提供される。
【０００９】
本発明によれば、前記ノズルの側面と前記排出管の少なくとも一方に第１貫通孔を設けたことから、ノズルから流入する液体の流量が削減され、ノズルに対する押圧力が低減される。その結果、ノズル先端がフィルタから浮いてしまうことが抑制され、洗浄性の低下を抑制することが可能となっている。
【００１０】
以下、本発明の種々の実施形態を例示する。以下に示す実施形態は互いに組み合わせ可能である。
【００１１】
好ましくは、前記第１貫通孔は、前記ノズルの側面に設けられる。
【００１２】
好ましくは、前記ノズルは、パイプ部材と、ノズル部材と、付勢手段とを備え、前記第１貫通孔は、前記ノズル部材の側面に設けられ、前記パイプ部材は、前記ノズル部材と前記排出管とを接続し、前記ノズル部材の基端部と前記パイプ部材の先端部は嵌り合うよう構成され、前記付勢手段は、前記ノズル部材を前記フィルタ方向へ押圧する。
【００１３】
好ましくは、前記パイプ部材の側面に、前記フィルタの一次側と連通する第２貫通孔が形成され、前記ノズル部材が前記フィルタから離間すると、前記第１貫通孔と前記第２貫通孔の少なくとも一部が重なるよう構成される。
【００１４】
好ましくは、回転手段を備え、前記フィルタは、円筒状に形成され、前記回転手段は、前記フィルタ及び前記排出手段の一方を他方に対し相対回転させるよう構成される。
【００１５】
好ましくは、前記排出手段は、前記ノズルを複数備え、前記回転手段は、前記フィルタを回転させるよう構成される。
【図面の簡単な説明】
【００１６】
【図１】本発明の第１実施形態に係るバラスト水処理装置１０の構成を示す図である。
【図２】図２Ａは、図１のバラスト水処理装置１０の排出手段４が備えるノズル部材４１及びパイプ部材４２を示す側面図であり、図２Ｂは、同ノズル部材４１及びパイプ部材４２の平面図であり、図２Ｃは、同ノズル部材４１の正面図である。
【図３】図２Ｂに示すノズル部材４１がフィルタ２から離れる様子を、図２ＣのＡ−Ａ断面において示す説明図である。
【図４】本発明の第２実施形態に係るバラスト水処理装置１０のノズル部材４１及びパイプ部材４２を示す平面図である。
【発明を実施するための形態】
【００１７】
１．第１実施形態
以下、本発明の第１実施形態について説明する。以下に示す実施形態中で示した各種特徴事項は、互いに組み合わせ可能である。また、各特徴について独立して発明が成立する。
【００１８】
本実施形態のバラスト水処理装置１０は、船舶に設置されるバラスト装置において、バラスト水の浄化のために導入される。なお、本明細書における「バラスト水」については、バラストタンク（図示せず）に導入される前又はバラストタンクから排出された後に拘わらず、また、バラスト水処理装置１０に導入（流入）される前又はバラスト水処理装置１０から排出（流出）された後に拘わらず、船内に取り込まれた水を全て「バラスト水」と表現する。また、船内に取り込むバラスト水には、海水、淡水、汽水等が含まれるものとする。
【００１９】
本発明の第１実施形態に係る液体処理装置としてのバラスト水処理装置１０は、図１に示すように、円筒状のケーシング１と、円筒状のフィルタ２と、フィルタ回転手段３とを備える。円筒状のフィルタ２は、ケーシング１内に配置され内部（一次側）に流入した海水等の濾過処理前のバラスト水を濾過して外部（二次側）へ流出させる。フィルタ回転手段３は、フィルタ２をその軸心を中心に回転させる。
【００２０】
また、濾過処理中のフィルタ２の洗浄のため、バラスト水処理装置１０は、異物を含むバラスト水をフィルタ２の一次側から排出する排出手段４と、フィルタ２の二次側に設けられ、フィルタ２に向かって洗浄水を噴出する洗浄水噴出手段５と、ケーシング１内に圧縮ガスを供給する圧縮ガス供給部６とを備える。加えて、本実施形態のバラスト水処理装置１０には、ケーシング１にバラスト水を導入する導入ラインＬ１と、洗浄水ラインＬ２とが接続される。以下、各構成を具体的に説明する。
【００２１】
まず、ケーシング１は、円筒状に形成され、上部開口部が蓋部１１で、下部開口部が底部１２で密閉されている。ケーシング１内に配置された円筒状のフィルタ２は、その上部開口部が上閉止部１３で密閉され、下部開口部が下閉止部１４で閉止される。これらの構成により、フィルタ２内部（一次側）が、ケーシング１とフィルタ２の間（二次側）と隔てられている。フィルタ２は、例えば、多数の貫通孔が形成された金属板を円筒状に曲げ加工すると共に、円筒状の軸方向に延びる一対の側縁部を溶接することにより形成される。
【００２２】
フィルタ回転手段３は、上部回転軸部材１５と、下部回転軸部材１６と、モータ１７とで構成される。上部回転軸部材１５は、フィルタ２の上閉止部１３を保持し、下部回転軸部材１６は、下閉止部１４を保持する。モータ１７は、上部回転軸部材１５を回転させる。また、上部回転軸部材１５は、ケーシング１の蓋部１１を貫通し、シーリングされた軸受部材１８を介して蓋部１１に回転自在に且つ液密に支持される。下部回転軸部材１６は、ケーシング１の底部１２を貫通し、シーリングされた軸受部材１９を介して底部１２に回転自在に且つ液密に支持される。下部回転軸部材１６は、フィルタ２内と連通するとともにケーシング１の底部１２からケーシング１の外に突出する管状体となっており、濾過処理前のバラスト水をフィルタ２内部に導入する導入口２０が接続される。導入口２０には、導入ラインＬ１が接続される。導入ラインＬ１には、開閉弁２１を挟んで開閉弁バラスト水を圧送するバラスト装置のポンプ２２が接続される。
【００２３】
また、ケーシング１の側部には、フィルタ２を通過した濾過処理後のバラスト水が流出する流出口２６が設けられている。そして、導入ラインＬ１を流れ導入口２０から導入されたバラスト水は下部回転軸部材１６を通ってフィルタ２内に入り、フィルタ２を通過し濾過処理されてケーシング１とフィルタ２の間に形成される空間に入り、流出口２６から流出する。なお、流出口２６から流出した濾過処理後のバラスト水は、バラストタンク（図示せず）に貯留される。
【００２４】
排出手段４は、複数のノズル部材４１と、複数のパイプ部材４２と、集合管４３と、排出管４４と、付勢手段としての複数のコイルスプリング４５（図２Ａ及び図２Ｂ参照）とを備える。なお、特許請求の範囲における「ノズル」との用語は、それぞれ１つのノズル部材４１、パイプ部材４２及びコイルスプリング４５からなる部分（図２Ａ参照）を総称したものとする。排出手段４は、フィルタ２に付着した異物をケーシング１の外部へと排出するために用いられる。
【００２５】
ノズル部材４１は、その先端部４１ａ（図２Ａ参照）がフィルタ２の内周面に向かって開口し、フィルタ２に対向するよう配置される。ノズル部材４１の基端部４１ｂは、円筒形状となっており、パイプ部材４２に接続される。ノズル部材４１の先端部４１ａは、図２Ａに示すように、基端部４１ｂに対して、正面視における面積、すなわちバラスト水の流通方向と垂直な断面における面積が大きくなっている。ノズル部材４１の先端部４１ａは、図２Ｃに示すように、正面視において上下方向に延びる略矩形形状となっており、フィルタ２と当接する先端面４１ｅに、上下方向に延びる２つの開口４１ｏが形成されている。ノズル部材４１の先端部４１ａが上下方向に延びる形状とされ、上下方向に延びる開口４１ｏを備えていることにより、フィルタ２の洗浄を広範囲で行うことが可能となっている。
【００２６】
パイプ部材４２は、先端側がノズル部材４１に接続され、基端側が集合管４３に接続される円筒状の部材である。本実施形態において、ノズル部材４１及びパイプ部材４２は、周方向に９０度間隔で４列、それぞれ上下方向に３本づつ、合計１２本設けられる（図１では、右方向に延びるもの以外を省略している）。そして、上下に配置されているノズル部材４１の間の未吸引部を無くすため、１方の列のノズル部材４１の間に他の列のノズル部材４１が位置するよう、列ごとに高さ方向の位置をずらして配置されている。
【００２７】
なお、本実施形態のノズル部材４１及びパイプ部材４２の側面には、図２Ａ及び図３Ａ，図３Ｂに示すように、それぞれ第１貫通孔４１ｈ及び第２貫通孔４２ｈが形成されている。ここで、第１貫通孔４１ｈ及び第２貫通孔４２ｈは、ノズル部材４１がフィルタ２に当接している場合には、図３Ａに示すようにそれぞれの孔の位置が一致せず、第１貫通孔４１ｈはパイプ部材４２の側面に覆われている。そのため、ノズル部材４１がフィルタ２に当接している場合、バラスト水は第１貫通孔４１ｈ及び第２貫通孔４２ｈを介してはパイプ部材４２内へほとんど流入しない。一方、ノズル部材４１がフィルタ２から離間した場合には、図３Ｂに示すように、側面視において第１貫通孔４１ｈと第２貫通孔４２ｈの少なくとも一部が重なるようになっている。なお、本発明におけるこれら第１貫通孔４１ｈ及び第２貫通孔４２ｈの役割については後述する。
【００２８】
集合管４３は、図１に示すように、フィルタ２の内部に配置される。より具体的には、集合管４３は、フィルタ２の中心軸に一致する位置に配置され、上端部が閉鎖し下端部が開口している。集合管４３の上端部は、フィルタ２の上部回転軸部材１５の中央に設けられた孔に挿入されて支持されている。集合管４３には、ノズル部材４１及びパイプ部材４２を流通したバラスト水及び異物が集合して流通する。
【００２９】
排出管４４は、集合管４３の下端部に接続され、下部回転軸部材１６の内部を、フィルタ２の回転を妨げないように下方に延びる。排出管４４の下端側は、屈曲して延びており、導入口２０の周面を貫通している。排出管４４は、集合管４３を流通したバラスト水及び異物を排出する。また、本実施形態の排出管４４には、開度調整が可能な調整弁（逆洗弁、図示せず）が設けられている。
【００３０】
コイルスプリング４５は、図２Ａ及び図２Ｂに示すように、ノズル部材４１の基端側に設けられ、先端側がノズル部材４１と当接することで当該ノズル部材４１をフィルタ２の方向（図の右側）へ押圧する。コイルスプリング４５の基端側は、パイプ部材４２又は集合管４３に固定される。本実施形態のコイルスプリング４５は、ノズル部材４１がフィルタ２から浮かないようにするため（離間しないようにするため）に設けられる。
【００３１】
洗浄水噴出手段５は、図１に示すように、ケーシング１の側部に設けられており、先端部がケーシング１内、特にフィルタ２の外周面に向かって開口している。洗浄水噴出手段５は、洗浄水ラインＬ２に接続され、洗浄水ラインＬ２から供給される洗浄水をフィルタ２の二次側の面に向かって噴出する。洗浄水噴出手段５は、フィルタ２の軸方向全域に洗浄水を噴出できることが好ましいが、その構成は特に限定されるものではない。本実施形態では、洗浄水噴出手段５は、複数配置された各ノズル部材４１と同周上であって対向するように位置している。なお、洗浄水ラインＬ２の基端側は、洗浄水供給源（図示せず）に接続される。洗浄水供給源としては、フィルタ２で処理されたバラスト水を用いることが可能である。ただし、バラストタンク内に貯留された水、他の用途で使用する目的で貯留されている生活用水や飲料水などを用いても良い。
【００３２】
圧縮ガス供給部６は、上流側がコンプレッサ等の圧縮ガス供給源（図示せず）に接続される圧縮ガス供給ライン６１と、圧縮ガス供給弁６２と、を備える。圧縮ガス供給ライン６１の下流側は、ケーシング１の蓋部１１に接続され、フィルタ２とケーシング１との間（ケーシング１の内部におけるフィルタ２の二次側）に圧縮ガスを供給する。
【００３３】
次に、本実施形態のバラスト水処理装置１０の動作、特に濾過処理中のフィルタ２の洗浄の動作を説明する。
【００３４】
ポンプ２２の駆動によりバラスト水が導入ラインＬ１を通って導入口２０から流入すると、バラスト水はフィルタ２内に入り、フィルタ２を通過し濾過処理される。この際、フィルタ回転手段３はフィルタ２を回転させる。これにより、フィルタ２は排出手段４に対し相対回転する。そして、バラスト水は、ケーシング１とフィルタ２の間に形成される空間に入り、流出口２６から流出する。流出したバラスト水は、流出水路を通ってバラストタンク（図示せず）に貯留される。
【００３５】
バラスト水の濾過処理中の洗浄動作は、濾過処理中に連続あるいは間欠的に行われる。具体的には、排出手段４内の圧力はフィルタ２の二次圧よりも低いため、排出管４４に設置される調整弁を開いておくことで、フィルタ２に付着した異物がフィルタ２の二次側にある濾過後のバラスト水と一緒にノズル部材４１の開口４１ｏから吸引され、パイプ部材４２、集合管４３及び排出管４４を通って外部へ排出されるようになっている。
【００３６】
また、濾過処理中の洗浄の際には、洗浄水噴出手段５がフィルタ２に洗浄水を噴出させる。これにより、フィルタ２に付着した異物がフィルタ２から剥離し、ノズル部材４１から効果的に除去される。
【００３７】
なお、洗浄水噴出手段５は、バラスト水処理装置１０の運転が終了した後や、その他フィルタ２をより強力に洗浄したい場合にも用いられる。この際には、圧縮ガス供給部６の圧縮ガス供給弁６２を開状態とすることで、ケーシング１に収容されたバラスト水を速やかに排出することができる。
【００３８】
ところで、従来技術においては、当該排出手段に流入する液体の流量が多くなると、フィルタに向かって開口するよう配置されたノズルがフィルタから離れる方向に押圧される。そのため、ノズル先端がフィルタから浮いてしまい、洗浄性が低下するおそれがあった。
【００３９】
そこで、本実施形態のバラスト水処理装置１０では、ノズル部材４１及びパイプ部材４２の側面に、それぞれ第１貫通孔４１ｈ及び第２貫通孔４２ｈを設けている。そして、ノズル部材４１の先端がフィルタ２から離間した場合に、これら第１貫通孔４１ｈ及び第２貫通孔４２ｈが徐々に重なっていくよう孔の位置を設定した（図３Ｂ参照）。これにより、ノズル部材４１がフィルタ２から離間するほど、第１貫通孔４１ｈと第２貫通孔４２ｈの重複する面積は増加してゆく。その結果、ノズル部材４１がフィルタ２から離間するほど、第１貫通孔４１ｈ及び第２貫通孔４２ｈを介して排出手段４内に流入するバラスト水の流量が増加するようになっている。これにより、開口４１ｏからノズル部材４１内へ流入するバラスト水の流量は減少するため、ノズル部材４１が押圧されてフィルタ２から離れてしまうことを抑制することが可能となっている。なお、ノズル部材４１の先端がフィルタ２と当接している場合には、第１貫通孔４１ｈ及び第２貫通孔４２ｈが重複しないため、第１貫通孔４１ｈ及び第２貫通孔４２ｈを介してバラスト水が排出手段４内に流入することはほとんどなく、ノズル部材４１による洗浄性を確保することが可能となっている。
【００４０】
また、本実施形態のバラスト水処理装置１０では、ノズル部材４１に第１貫通孔４１ｈが形成されていることで、バラスト水が第１貫通孔４１ｈを介して常にノズル部材４１内に流れ込むようになっている。したがって、例えば、円筒状のフィルタに継ぎ目がある場合や、異物のフィルタへの付着の程度にばらつきがある場合であっても、排出手段４内のバラスト水の流通量の変動を抑制することが可能となっている。
【００４１】
なお、本発明は、以下の形態でも実施することができる。
・上記第１実施形態では、ノズル部材４１の第１貫通孔４１ｈ及びパイプ部材４２の第２貫通孔４２ｈはノズル部材４１及びパイプ部材４２の側面に形成されていたが、第１貫通孔４１ｈと第２貫通孔４２ｈの位置を合わせるのであれば、任意の場所に各貫通孔を設けることが可能である。
・上記実施形態では、第１貫通孔４１ｈ及び第２貫通孔４２ｈは円形の形状であったが、貫通孔の形状は任意であり、例えば、矩形等の多角形形状とすることも可能である。
【００４２】
２．第２実施形態
次に、本発明の第２実施形態に係るバラスト水処理装置１０について説明する。第２実施形態のバラスト水処理装置１０は、図４Ａ及び図４Ｂに示すように、排出手段４、具体的にはノズル部材４１及びパイプ部材４２の形状のみが異なっている。したがって、以下ではその相違点のみを説明する。
【００４３】
本実施形態の排出手段４は、図４Ａに示すように、ノズル部材４１には第１実施形態同様、側面部に第１貫通孔４１ｈが形成されているが、パイプ部材４２には貫通孔が形成されていない。ただし、パイプ部材４２が第１実施形態のものよりも短くなっており、ノズル部材４１の移動（図４Ｂ参照）にかかわらず、バラスト水が排出手段４内に常に流入するような構成となっている。
【００４４】
このような構成であっても、排出手段４内のバラスト水の流通量の変動が抑制されるため、水撃を抑制することが可能となっている。
【００４５】
なお、本発明は、以下の形態でも実施することができる。
・上記実施形態におけるバラスト水処理装置１０は、ノズル部材４１に対してフィルタ２が回転する構成であったが、これに限らない。すなわち、本発明を、固定されたフィルタ２に対して排出手段４（ノズル部材４１）が回転する構成のバラスト水処理装置に適用しても良い。また、本発明を、ノズル部材及びフィルタがともに回転しない構成のバラスト水処理装置に適用することも可能である。
・上記実施形態では、フィルタ２の回転軸が上下方向（鉛直方向）に沿うようにフィルタ２を配置したが、これに限らない。即ち、回転軸が水平方向に沿うようにフィルタを配置してもよい。
・上記実施形態では、排出手段４をフィルタ２の内側に配置していたが、排出手段４をフィルタ２の外側に配置することも可能である。つまり、排出手段４はフィルタ２の一次側に配置しても良く、フィルタ２の二次側に配置しても良い。
・上記実施形態では、フィルタ２の内側が一次側、フィルタ２の外側が二次側となるようバラスト水を流通させていたが、フィルタ２の外側が一次側、内側が二次側となるようバラスト水を流通させることも可能である。
・上記実施形態では、本発明を、船舶で用いられバラスト水を処理するバラスト水処理装置に適用したが、これに限らない。即ち、本発明を、海、河川、湖沼、池等の水、及び工業水等を処理する水処理装置に適用してもよい。さらに、水を処理する水処理装置ではなく、水以外の液体（例えば、油）を処理する液体処理装置に適用することも可能である。
・上記実施形態では、排出手段４のノズル部材４１とパイプ部材４２が別部材により構成されていたが、ノズル部材４１とパイプ部材４２を一体に形成することも可能である。この場合も、一体に形成したノズル部材４１に貫通孔を設けることで、開口４１ｏから流入するバラスト水の流量を抑制でき、水撃を抑制することができる。
・上記第２実施形態では、第１貫通孔４１ｈはノズル部材４１の側面に形成されていたが、上面、下面など、バラスト水を流通させることの可能な任意の位置に形成することが可能である。また、第１貫通孔４１ｈは、パイプ部材４２に形成することや、集合管４３、排出管４４に形成することも可能である。第１貫通孔４１ｈがこのような位置にあっても、バラスト水が排出手段４内に常に流入するようになっているため、排出手段４内のバラスト水の流通量の変動が抑制され、水撃を抑制することが可能である。
【符号の説明】
【００４６】
１      ：ケーシング
２      ：フィルタ
３      ：フィルタ回転手段
４      ：排出手段
５      ：洗浄水噴出手段
６      ：圧縮ガス供給部
１０    ：バラスト水処理装置（液体処理装置）
１１    ：蓋部
１２    ：底部
１３    ：上閉止部
１４    ：下閉止部
１５    ：上部回転軸部材
１６    ：下部回転軸部材
１７    ：モータ
１８    ：軸受部材
１９    ：軸受部材
２０    ：導入口
２１    ：開閉弁
２２    ：ポンプ
２６    ：流出口
４１    ：ノズル部材（ノズル）
４１ａ  ：先端部
４１ｂ  ：基端部
４１ｅ  ：先端面
４１ｈ  ：第１貫通孔
４１ｏ  ：開口
４２    ：パイプ部材（ノズル）
４２ｈ  ：第２貫通孔
４３    ：集合管
４４    ：排出管
４５    ：コイルスプリング（付勢手段）
６１    ：圧縮ガス供給ライン
６２    ：圧縮ガス供給弁
Ｌ１    ：導入ライン
Ｌ２    ：洗浄水ライン
【図１】
2020114577.tif 000003
【図２】
2020114577.tif 000004
【図３】
2020114577.tif 000005
【図４】
2020114577.tif 000006